(57)【要約】【課題】特に改修工事等において、巻取り機構に接続する可とう性操作子や電源ケーブル等を、後付で簡単に施工することができるシャッタ付き窓を提供することを課題とする。【解決手段】窓枠２の上側に、スラット１７の巻取り機構１６を内蔵したシャッタボックス１０を配設し、巻取り機構１６を駆動するための手動または自動の可とう性操作子５２を、屋内側となる窓枠２の縦枠８の内側から縦枠８の中空部３５を通して、巻取り機構１６の操作子接続部５１に接続したシャッタ付き窓１において、縦枠８の中空部３５に対し巻取り機構１６の操作子接続部５１を、見込み方向において相対的に屋外側に外れた位置に配設したものである。【選択図】　図２
2004124434.tif 000002
【特許請求の範囲】
【請求項１】
窓枠の上側に、スラットの巻取り機構を内蔵したシャッタボックスを配設し、前記巻取り機構を駆動するための手動または自動の可とう性操作子を、屋内側となる前記窓枠の縦枠の内側から当該縦枠の中空部を通して、前記巻取り機構の操作子接続部に接続したシャッタ付き窓において、
前記縦枠の中空部に対し前記巻取り機構の操作子接続部を、見込み方向において相対的に屋外側に外れた位置に配設したことを特徴とするシャッタ付き窓。
【請求項２】
前記各縦枠の屋外側端面には、前記スラットの開閉をガイドするシャッタレールが取り付けられ、
前記可とう性操作子は、前記シャッタレールに隠蔽される前記縦枠の端面壁を貫通して前記縦枠の中空部に導かれていることを特徴とする請求項１に記載のシャッタ付き窓。
【請求項３】
前記巻取り機構は、巻取りモータと当該巻取りモータの近傍に配設したモータ駆動スイッチとを有し、
前記可とう性操作子は、前記モータ駆動スイッチを屋内側からＯＮ−ＯＦＦさせるスイッチ操作子であることを特徴とする請求項１または２に記載のシャッタ付き窓。
【請求項４】
窓枠の上側に、スラットの電動巻取り機構を内蔵したシャッタボックスを配設したシャッタ付き窓において、
端部に電源用のプラグを設けた前記電動巻取り機構の電源ケーブルを、前記窓枠の縦枠の中空部を通すと共に、前記中空部を構成する前記縦枠の内側板に形成した開口部から屋内側に導いたことを特徴とするシャッタ付き窓。
【発明の詳細な説明】
【０００１】
【発明の属する技術分野】
本発明は、雨戸に代えてシャッタを設けたシャッタ付き窓に関する。
【０００２】
【従来の技術】
従来、この種のシャッタ付き窓は、窓枠に内外２枚の障子を開閉自在に支持した引違い窓と、引違い窓の上側に設けた窓用シャッタとで構成されている。窓用シャッタは、スラットの巻取り機構を内蔵したシャッタボックスと、窓枠の屋外側正面に取り付けた左右一対のシャッタレールとを備えている（例えば、特許文献１参照。）。
この場合、巻取り機構のシャッタドラムを回転させるギヤボックスが、窓枠の縦枠の直上部に配設されており、ギヤボックスから垂下したスラットを上げ下げするための操作紐が、縦枠の中空部を通って屋内側となる縦枠の内側に導かれている。これにより、屋内側からの操作紐の操作で、スラットを上げ下げできるようになっている。
【０００３】
【特許文献１】
特開平１１−２１０３５９号公報（第２頁、図１）
【０００４】
【発明が解決しようとする課題】
このような従来のシャッタ付き窓では、施工において、引違い窓にシャッタを組み込むときに、操作紐を縦枠の中空部に通す必要があり、予め巻取り機構に操作紐を取り付けた状態でシャッタを組み込む場合には、シャッタの外壁への掛止固定と、操作紐の中空部への挿入とを並行して行う必要があり、作業が煩雑になる問題があった。一方、操作紐を、屋内側から中空部に通してギヤボックスに接続する後付けの場合には、上記の問題はないが、この場合には、ギヤボックスがシャッタボックスの奥まった位置に配設されているため、操作紐の取付け作業が煩雑になる問題がある。特に、このような問題は、窓をシャッタ付のものに取り替える場合や、手動の窓用シャッタを電動のものに交換する場合等の、改修工事において顕著となる。
また、手動の窓用シャッタを電動のものに交換する場合等では、窓用シャッタの電源ケーブルを屋内側に導くために、外壁内に電線管を埋め込む工事が必要となり、工事が煩雑になる問題があった。
【０００５】
本発明は、特に改修工事等において、巻取り機構に接続する可とう性操作子や電源ケーブル等を、後付で簡単に施工することができるシャッタ付き窓を提供することをその課題とする。
【０００６】
【課題を解決するための手段】
本発明のシャッタ付き窓は、窓枠の上側に、スラットの巻取り機構を内蔵したシャッタボックスを配設し、巻取り機構を駆動するための手動または自動の可とう性操作子を、屋内側となる窓枠の縦枠の内側から縦枠の中空部を通して、巻取り機構の操作子接続部に接続したシャッタ付き窓において、縦枠の中空部に対し巻取り機構の操作子接続部を、見込み方向において相対的に屋外側に外れた位置に配設したことを特徴とする。
【０００７】
この構成によれば、巻取り機構を内蔵したシャッタボックスおよび窓枠を施工した後（改修工事を含む）、巻取り機構の可とう性操作子を取り付ける場合に、縦枠の中空部に対し巻取り機構の操作子接続部が、見込み方向において相対的に屋外側に外れた位置に配設されているため、屋内側から縦枠の中空部を通した可とう性操作子の端部は、屋外側からの作業により巻取り機構の操作子接続部に簡単に接続することができる。なお、ここに言う「可とう性操作子」は、操作パネルを含む制御系のケーブル、単なる電動スイッチのＯＮ−ＯＦＦ操作子、手動用の操作子等を含む概念である。
【０００８】
この場合、各縦枠の屋外側端面には、スラットの開閉をガイドするシャッタレールが取り付けられ、可とう性操作子は、シャッタレールに隠蔽される縦枠の端面壁を貫通して縦枠の中空部に導かれていることが、好ましい。
【０００９】
この構成によれば、可とう性操作子の操作子接続部への接続は元より、可とう性操作子の中空部への挿通も、シャッタレールを取り付ける前に、屋外側からの作業により簡単に行うことができる。
【００１０】
これらの場合、巻取り機構は、巻取りモータと巻取りモータの近傍に配設したモータ駆動スイッチとを有し、可とう性操作子は、モータ駆動スイッチを屋内側からＯＮ−ＯＦＦさせるスイッチ操作子であることが、好ましい。
【００１１】
この構成によれば、可とう性操作子を、巻取りモータのスイッチ操作子とすることにより、スイッチ操作子を縦枠に簡単に組み込むことができる。特に、既存の窓枠に新たに電動シャッタを設ける場合や、手動シャッタに代えて電動シャッタを設ける場合に、施工性を向上させることができる。
【００１２】
本発明の他のシャッタ付き窓は、窓枠の上側に、スラットの電動巻取り機構を内蔵したシャッタボックスを配設したシャッタ付き窓において、端部に電源用のプラグを設けた電動巻取り機構の電源ケーブルを、窓枠の縦枠の中空部を通すと共に、中空部を構成する縦枠の内側板に形成した開口部から屋内側に導いたことを特徴とする。
【００１３】
この構成によれば、プラグ付きの電源ケーブルを、縦枠の中空部から屋内側に導くようにしているため、このプラグを、屋内に設けられている電源用のコンセントに差し込むだけで、電動巻取り機構、すなわち電動シャッタが使用可能となる。このため、建物の外壁に電源ケーブル用の電線管等を設ける必要がなく、特に既設の窓に新たに電動シャッタを設ける場合に有用となる。なお、電源としては、いわゆる家庭用電源および商用電源等が考えられる。
【００１４】
【発明の実施の形態】
以下、添付図面を参照して、本発明の一実施形態に係るシャッタ付き窓について説明する。図１はシャッタ付き窓の分解斜視図、図２はその縦断面図、図３はその横断面図である。これらの図に示すように、このシャッタ付き窓１は、建物（外壁Ｗ）の開口部Ｗａに取り付けた外付けタイプの窓枠２と、窓枠２に開閉自在に装着した引違い形式の障子（図示省略）３，３と、窓枠２の上部に組み込んだ窓用シャッタ４とで構成されている。
【００１５】
窓枠２は、アルミニウムの形材などで形成した上枠６、下枠７および左右の縦枠８，８を方形に枠組みして構成され、屋外側に大きく突出した状態で外壁Ｗの開口部Ｗａに固定されている。この場合、両縦枠８，８は、上枠６を越えて窓用シャッタ４の部分まで延びており、上部が後述するシャッタボックス１０を兼ねている（詳細は後述する）。
【００１６】
上枠６は、上枠中空部２２を有する上枠本体２１と、上枠本体２１の下面に垂設した障子３用の内外一対の上ガイドレール２３，２３と、上枠本体２１から前方に水平に突出したシール取付け片部２４とで一体に形成されており、後端部に形成した上枠本体２１の２つの折曲げ部分で外壁Ｗおよび額縁（図示省略）にそれぞれねじ止めされている。なお、シール取付け片部２４は、上昇するスラット１７に当接してその移動を停止させるストッパとしても機能する。
【００１７】
下枠７は、下枠本体２６と、下枠本体２６の上面に立設した内外一対の下ガイドレール２７，２７と、下枠本体２６の前方に略「Ｌ」字状に下向きに突出した水切り片部２８とで一体に形成されており、後端部に形成した下枠本体２６の２つの折曲げ部分で外壁Ｗおよび額縁にそれぞれねじ止めされている（図１および図３参照）。
【００１８】
各縦枠８は、下枠７の位置から後述するシャッタボックス１０のルーフ板１１の位置まで上下方向に長く延在しており（縦枠通し）、見付け方向の外側に位置して見込み方向の外面を構成する外側板３１と、見付け方向の内側に位置してその見込み方向の内面を構成する内側板３２とを有している。外側板３１と内側板３２とは、間隙を存して平行に配設されており、外側板３１および内側板３２間に渡した前連結片３３および後連結片３４により、方形の縦枠中空部３５が構成されている。
【００１９】
外側板３１は、上記の縦枠中空部３５を構成する外側板本体３１ａと、外側板本体３１ａの後端部から外側に屈曲して延びる外壁固定部３１ｂと、外側板本体３１ａの前端部から前方に延びる外取付け片部３１ｃとを有している。同様に内側板３２は、上記の縦枠中空部３５を構成する内側板本体３２ａと、内側板本体３２ａの後端部から内側に「Ｌ」字状に屈曲して延びる額縁固定部３２ｂと、内側板本体３２ａの前端部から前方に延びる内取付け片部３２ｃとを有している。
【００２０】
実施形態の縦枠８は、その内側板３２（前後両連結片３３，３４も含む）が、上枠６の位置で切り欠かれており、ルーフ板１１の位置まで延びる外側板３１がこのルーフ板１１と枠組みされる一方、内側板３２が上枠６と枠組みされている。より具体的には、上枠６の上部は、外側板３１を残して他の部分が上枠６の上面の輪郭線に倣って切除されており、この外側板３１の上部がシャッタボックス１０の一部を兼ねている。
【００２１】
一方、窓用シャッタ４は、上部を覆うルーフ板１１と、前部を覆う点検板１２と、左右の縦枠８，８を除く部分を覆う一対のサイドキャップ１３，１３とで外殻が構成されたシャッタボックス１０を有している。また、シャッタボックス１０内には、両縦枠８，８に固定した左右一対のブラケット１４，１４を介して回転自在に水平に支持された巻取りドラム１５と、巻取りドラム１５を正逆回転させる電動巻取り機構（モータ付）１６と、巻取りドラム１５に巻取り・繰出し自在に巻回したスラット１７とが設けられている。また、窓枠２の前面には、左右一対のシャッタレール１８，１８が設けられている。スラット１７は、スラット子を上下に多数連結して構成され、左右の側端部で両シャッタレール１８，１８に案内された昇降（開閉）する。
【００２２】
左右の各シャッタレール１８は、コーナー部分のレール中空部４１と、レール中空部４１から見付け方向に内向きに延在する断面「コ」字状のガイド溝部４２と、レール中空部４１が見込み方向屋内側に突設した掛止部４３およびビス止め片部４４とで、一体に形成されている。掛止部４３は、上記縦枠８の外取付け片部３１ｃの先端に掛け止めされ、ビス止め片部４４は、縦枠８の内取付け片部３２ｃに重なるように係合してビス止めされている。そして、この接合部分には、レール中空部４１と縦枠中空部３５との間に位置するように、後述する操作用ケーブル　の隠蔽空間４５が構成されている。
【００２３】
電動巻取り機構１６には、図示では省略したが、駆動モータ（巻取モータ）およびモータドライバ等が組み込まれており、モータドライバに連なるケーブル接続部５１には、制御系の操作用ケーブル（可とう性操作子等）５２が接続されている。ケーブル接続部５１は、電動巻取り機構１６の下側にあって幾分外向きに設けられており、斜め下方から操作用ケーブル５２の基端部が抜差し自在に接続されている。そして、操作用ケーブル５２の先端部には、縦枠の内側に設けた操作パネル５３に接続されている。
【００２４】
この場合、ケーブル接続部５１は、縦枠中空部３５の前連結片３３より幾分屋外側に位置しており（図５（ｂ）と同様）、操作用ケーブル５２は、ケーブル接続部５１から上記の隠蔽空間４５を通って前連結片３３の上部を貫通し、縦枠中空部３５を通って、内側板３２に取り付けた操作パネル５３に接続されている。
操作パネル５３は、屋外側から見て右側の縦枠８の内側に設けられている。すなわち、右側の縦枠８の内側板（内側板本体３２ａ）３２には、障子３から屋内側に外れた位置に操作部開口５４が形成され、この操作部開口５４に嵌め込むようにして操作パネル５３が取り付けられている。
【００２５】
これにより、操作用ケーブル５２および操作パネル５３を予め縦枠８に組み込んでおけば、後から施工される窓用シャッタ４のケーブル接続部５１に対し、操作用ケーブル５２を屋外側から簡単に接続することができる。そして、シャッタレール１８を縦枠８に取り付けることにより、操作用ケーブル５２を隠蔽空間４５に隠蔽することができる。
【００２６】
一方、電動巻取り機構１６の上側には電源ケーブル５６が接続されており、電源ケーブル５６の先端には、電源プラグ５７が接続されている。実施形態のシャッタ付き窓１は、既設建物に改修工事として施工することを想定しており、外壁Ｗに既存の電源ケーブル（電線管）が埋設されていない場合に、電源ケーブル５６を、縦枠８を介して屋内まで引き回すようにしている。もちろん、電源プラグ５７は、家庭用電源である屋内のコンセントに接続される。
【００２７】
この場合、電源ケーブル５６は、ブラケット１４に形成した長孔１４ａからブラケット１４と縦枠８上部（外側板３１の上部）との間を通り、更に小口から縦枠中空部３５を通って、内側板３２に形成した取出し開口５８から屋内側に導かれるようになっている。取出し開口５８は、上記の操作パネル５３と同様に、障子３に干渉しないように内側板３２の屋内側に寄った位置に形成され、且つ目立たないように操作パネル５３の上側にあって、電源プラグ５７が挿通する最小限の大きさに形成されている。なお、取出し開口５８には、電源ケーブル５６を挿通したキャップを装着しておくことが、好ましい。
【００２８】
このように、電源ケーブル５６を、縦枠中空部３５を介して屋内側に導くことにより、新たにシャッタ付き窓１を設ける場合や、手動シャッタを電動シャッタ（窓用シャッタ４）に交換する場合等の、窓の改修工事において、駆体工事を省略することができる。なお、既存の電動シャッタを新たな電動シャッタに交換する場合には、外壁Ｗ内に施工されている既存の電源ケーブルを利用することは、言うまでもない。
【００２９】
図４は、改修工事において、通常の引違い窓に窓用シャッタ４を組み込む場合を想定したものである。この変形例では、引違い窓（窓枠２）の上側に外壁Ｗに設けた一対のＬ字ブラケット６０，６０に支持させて、窓用シャッタ４が施工されている。この場合には、縦枠８上部の小口キャップを外し、縦枠中空部３５の小口をシャッタボックス１０内に開口し、上記と同様に、電源ケーブル５６および操作用ケーブル５２を通すようにする。したがって、この場合も駆体工事を必要とすることなく窓用シャッタ４の施工が可能になる。
【００３０】
次に、図５を参照して、第２実施形態について説明する。この実施形態では、縦枠（内側板３２）８に操作パネル５３に代えて、カバー付きの操作部材７１が設けられている。この場合、電動巻取り機構１６には、駆動モータおよびモータドライバの他、スラット１７を上昇および下降させる制御系の駆動スイッチ７２が組み込まれている。このため、ケーブル接続部５１には、操作用ケーブル５２に代えて、駆動スイッチ７２をＯＮ−ＯＦＦさせるフレキシブルワイヤー（可とう性操作子）７３が接続されている。フレキシブルワイヤー７３の先端部に接続した操作部材７１を中立位置から右回転させることにより、駆動スイッチ７２が正転ＯＮしてスラット１７が上昇し、左回転させることにより、駆動スイッチ７２が逆転ＯＮしてスラット１７が下降する。
【００３１】
この場合も、ケーブル接続部（ワイヤー接続部）５１は、縦枠中空部３５の前連結片３３より幾分屋外側に位置しており（図５（ｂ）参照）、上記の操作用ケーブル５２と同様に、フレキシブルワイヤー７３は、ケーブル接続部５１から上記の隠蔽空間４５を通って前連結片３３の上部を貫通し、縦枠中空部３５を通って、内側板３２に取り付けた操作部材７１に接続されている。また、電源ケーブル５６も、上記と同様に施工される。したがって、フレキシブルワイヤー７３および電源ケーブル５６を、駆体工事を伴うことなく簡単に施工することができる。
【００３２】
次に、図６および図７を参照して、第３実施形態について説明する。この実施形態のシャッタ付き窓１は、窓枠２および障子３，３から成る引違い窓が断熱構造（断熱サッシ）のもので構成され、窓用シャッタ４が第２実施形態の同一のもので構成されている。そこで、以下、窓枠２を、第２実施形態と異なる部分、すなわちその断熱構造を中心に説明する。
【００３３】
第３実施形態の窓枠２には、その見込み方向の中間部に断熱部材８０が介設されている。すなわち、窓枠２を構成する上枠６、下枠７および左右の縦枠８，８には、屋内側の上下両ガイドレール２３，２７の屋内側近傍に位置して、四周に亘って断熱部材８０が介設されている。そして、カバー付きの操作部材７１は、この断熱部材８０を跨ぐように配設されている。
【００３４】
この場合も、ケーブル接続部（ワイヤー接続部）５１は、縦枠中空部３５の前連結片３３より幾分屋外側に位置しており（図５（ｂ）参照）、上記の操作用ケーブル５２と同様に、フレキシブルワイヤー７３は、ケーブル接続部５１から上記の隠蔽空間４５を通って前連結片３３の上部を貫通し、縦枠中空部３５を通って、内側板３２に取り付けた操作部材７１に接続されている。
【００３５】
【発明の効果】
以上のように本発明のシャッタ付き窓によれば、可とう性操作子を、屋外側からの作業により巻取り機構の操作子接続部に簡単に接続することができ、特に改修工事等において、施工性を向上させることができる。
【００３６】
また、本発明の他のシャッタ付き窓によれば、建物の外壁に電源ケーブル用の電線管等を設ける必要がなく、特に既設の窓に新たに電動シャッタを設ける場合等の改修工事等において、駆体工事等のサッシ工事以外の工事を必要としない。
【図面の簡単な説明】
【図１】本発明の一実施形態に係るシャッタ付き窓の分解斜視図である。
【図２】実施形態に係るシャッタ付き窓の拡大縦断面図である。
【図３】実施形態に係るシャッタ付き窓の拡大横断面図である。
【図４】変形例に係るシャッタ付き窓の分解斜視図である。
【図５】第２実施形態に係るシャッタ付き窓の拡大断面図である。
【図６】第３実施形態に係るシャッタ付き窓の拡大縦断面図である。
【図７】第３実施形態に係るシャッタ付き窓の拡大横断面図である。
【符号の説明】
１　シャッタ付き窓、２　窓枠、４　窓用シャッタ、６　上枠、８　下枠、１０　シャッタボックス、１４　ブラケット、１５　巻取りラム、１６　電動巻取り機構、１７　スラット、１８　シャッタレール、３１　外側板、３２　内側板、３３　前連結片、３５　縦枠中空部、４５　隠蔽空間、５１　ケーブル接続部、５２　操作用ケーブル、５３　操作パネル、５６　電源ケーブル、５７　電源プラグ、５８　取出し開口、７１　操作部材、７２　駆動スイッチ、７３　フレキシブルワイヤー
【図１】
2004124434.tif 000003
【図２】
2004124434.tif 000004
【図３】
2004124434.tif 000005
【図４】
2004124434.tif 000006
【図５】
2004124434.tif 000007
【図６】
2004124434.tif 000008
【図７】
2004124434.tif 000009